(57)【要約】 【課題】一般ユーザが容易に且つ実用上十分な程度の色補正を行うことができるディスプレイシステムを提供する。 【解決手段】ディスプレイシステム１００は、ディスプレイ装置１０と、デイスプレイ装置１０に映像情報を提供する制御装置２０と、ディスプレイの遠隔操作のためのリモート操作装置３０とを有する。リモート操作装置３０は、色補正のためにディスプレイ装置１０の表示色を検知するＲＧＢカラーセンサ３４を備える。ＲＧＢカラーセンサ３４で検出された信号は、制御装置２０において、予め記憶された或いはインターネット等のネットワークを介して提供される情報を基に信号処理され、ディスプレイ装置１０に対して色補正に必要な制御信号を提供する。【選択図】図１
2005236469.tif 000002
【特許請求の範囲】
【請求項１】
ディスプレイ装置と、該ディスプレイ装置に映像情報を提供する制御装置と、前記ディスプレイの遠隔操作のためのリモート操作装置とを有するディスプレイシステムにおいて、
前記リモート操作装置は、色補正のために前記ディスプレイ装置の表示色を検知するカラーセンサを備えることを特徴とするディスプレイシステム。
【請求項２】
前記カラーセンサで検出された検出信号は、前記リモート操作装置から送出されて前記制御装置における色補正のための信号処理に用いられることを特徴とする、請求項１に記載のディスプレイシステム。
【請求項３】
前記検出信号の送出は、前記リモート操作装置が前記ディスプレイ装置を制御するために用いる通信手段を利用して行われることを特徴とする、請求項２に記載のディスプレイシステム。
【請求項４】
前記制御装置は、色補正のために前記検出信号と比較される基準データを記憶する記憶装置を有することを特徴とする、請求項１に記載のディスプレイシステム。
【請求項５】
前記カラーセンサは、前記ディスプレイ装置の画面の一部の色情報を検出するよう所定の光学系と組み合わされることを特徴とする、請求項１に記載のディスプレイシステム。
【請求項６】
前記ディスプレイ装置は、ネットワーク回線による通信が可能とされ、前記検出信号による色補正の際に、必要とされる他の情報を前記ネットワーク回線を介して取得するよう構成されることを特徴とする、請求項１に記載のディスプレイシステム。
【請求項７】
前記ネットワーク回線による通信の際に、所定の情報が前記ディスプレイ装置又は前記リモート操作装置に表示され、表示された情報によって色補正のためのユーザの操作を誘導できることを特徴とする、請求項６に記載のディスプレイシステム。
【請求項８】
色補正のために用いられる追加のリモート操作装置が用意され、色補正のための前記カラーセンサは、前記リモート操作装置に代えて前記追加のリモート操作装置に設けられることを特徴とする、請求項１に記載のディスプレイシステム。
【請求項９】
前記カラーセンサで検出された検出信号は、前記追加のリモート操作装置から前記ディスプレイ装置又は前記制御装置へと送出されて前記制御装置における色補正のための信号処理に用いられることを特徴とする、請求項８に記載のディスプレイシステム。
【請求項１０】
前記追加のリモート操作装置は、単独で或いは前記制御装置と協働して、ネットワーク回線による通信が可能とされ、前記検出信号による色補正の際に、必要とされる他の情報を前記ネットワーク回線を介して取得するよう構成されることを特徴とする、請求項８に記載のディスプレイシステム。
【請求項１１】
前記ネットワーク回線による通信の際に、所定の情報が前記ディスプレイ装置又は前記追加のリモート操作装置に表示され、表示された情報によって色補正のためのユーザの操作を誘導できることを特徴とする、請求項１０に記載のディスプレイシステム。
【請求項１２】
前記追加のリモート操作装置は、携帯端末であることを特徴とする、請求項８に記載のディスプレイシステム。
【発明の詳細な説明】
【技術分野】
【０００１】
本発明は、カラーディスプレイのシステムに関し、特にプラズマディスプレイのような大型のフラットパネルディスプレイ（以下ＦＰＤともいう）やフロント／リア・プロジェクタに好適である色補正の手段を備えたディスプレイシステムに関する。
【背景技術】
【０００２】
ＦＰＤ等のディスプレイ装置の色補正は、本来高精度な輝度・色度計が必要とされる。一方で、ＦＰＤやプロジェクタが大型化していくと、表示されている色の精度がより重要になってくる。例えば、経年劣化などにより、その色合いが出荷時に比べて変化した場合が挙げられる。このような場合、現状ではサービスマンが適切な輝度・色度計を持ち出して各ディスプレイ装置の設置場所で色補正を行うことが考えられる。
【０００３】
ところで、従前より、ＦＰＤ等のディスプレイ装置は、製造メーカからの製造出荷時に輝度・色彩等の性能が検査されており、検査のために特別な検査装置が使用されている。一例によれば、検査装置は、ＰＣ或いは他の一又は複数の装置と組み合わせて測定システムを構成し、ディスプレイに表示させたテストパターンを読み取り、その情報をもとにディスプレイ装置を調整して色補正を行うことができる。
【０００４】
この種のシステムの一例が特開２００２−２０９２３０号公報に記載される（特許文献１）。表示色の検出には、ＲＧＢカラーセンサが用いられる。ＲＧＢカラーセンサは、赤色,緑色、青色のそれぞれの光を通過させるフィルタとそれぞれに対応する光検出素子を含む。表示色を検出する際には、ＲＧＢカラーセンサは、吸盤等の手段によって表示画面上の所定の位置に取り付けられる。ＲＧＢカラーセンサから検出された信号は測色計で処理され、その後ＰＣに送られる。ＰＣにおいては、予め格納された基準補正係数をもとに表示装置を制御するための信号が生成され、生成された信号により表示装置への必要な調整がなされる。
【０００５】
他の類似のシステムの例が特開平８−１４９５００号公報に記載される（特許文献２）。この例も、ＲＧＢカラーセンサを用いたディスプレイの色補正手段を含む。ＲＧＢカラーセンサを含む検出装置は、ディスプレイ装置に付属して配置され、放送局等の現場でユーザが必要に応じて色補正を行えるようにしている。実施例によれば、ＲＧＢカラーセンサで検出された信号は、ディスプレイ装置本体に内蔵されたクロストーク補正回路におけるクロストーク補正のために用いられる。
【特許文献１】特開２００２−２０９２３０号
【特許文献２】特開平８−１４９５００号
【発明の開示】
【発明が解決しようとする課題】
【０００６】
上に例示した従来の装置は、製造業者が使用するものであったり或いは特定の専門分野のユーザが使用するものであったので、あるレベルの専門の知識を有する担当者が使用する場合には有効であるが、一般ユーザの利用には必ずしも適していない。一方で、近年、大画面の一般向けのディスプレイ装置の製造販売が拡大しており、ユーザ自身が必要な場合に色補正できるシステムが必要とされている。
【０００７】
更に、従来の装置では、ユーザに対して必ずしも色補正のために十分な情報が即時に提供されておらず、精度の高い色補正を行うことができない。
【０００８】
そこで、本発明は、一般ユーザに使用される比較的大型のディスプレイ装置を含むシステムであって、ユーザ自身が特別なスキルを必要とすることなく容易に使用でき、且つ一般ユーザ向けの製品として実用上十分精度良く色補正を行うことができるディスプレイシステムを提供することをその目的とする。
【０００９】
更に、本発明は、比較的単純で且つ安価なシステムとして、色補正を行うディスプレイシステムを実現することをその目的とする。
【課題を解決するための手段】
【００１０】
本発明のシステムは、ディスプレイ装置に付属するリモート操作装置或いは色補正のために追加された追加のリモート操作装置に搭載されたＲＧＢカラーセンサ、カラーセンサからの出力を変換するようリモート操作装置或いは追加のリモート操作装置に搭載される検出信号変換用ＩＣ、ディスプレイ装置又はその制御装置に設けられる色補正のための信号処理手段、色補正のためのテストパターンを発生する装置、及び出荷時の設定値、或いは計測値を記憶することのできる記憶手段を含み得る。カラーセンサは、所定の部分的なエリアの色計測を行えるように、適切なレンズを介してリモート操作装置の中に搭載される。
【００１１】
カラーセンサで検出した検出信号は、信号変換用ＩＣにより変換されて、赤外線、マイクロ波、或いは他の無線による通信手段を介して、ディスプレイ装置或いはディスプレイ制御装置に送信される。ディスプレイ装置或いは制御装置が受信した信号は、信号処理手段により信号処理される。このとき予め記憶されている参照データが比較対象として参照され、その結果、必要な色補正方法が選択される。即ち、信号処理手段からの出力信号は、制御装置に入力されディスプレイ装置のＲＧＢの各色の表示を適正化するべく利用される。
【００１２】
即ち、本発明は、ディスプレイ装置と、ディスプレイ装置に映像情報を提供する制御する制御装置と、ディスプレイの遠隔操作のためのリモート操作装置とを有するディスプレイシステムにおいて、リモート操作装置が、色補正のためにディスプレイ装置の表示色を検知するカラーセンサを備えるディスプレイシステムを提供する。
【００１３】
好ましくは、カラーセンサで検出された検出信号は、リモート操作装置から送出されて制御装置における色補正のための信号処理に用いられる。
【００１４】
好ましくは、検出信号の送出は、リモート操作装置が前記ディスプレイ装置を制御するために用いる通信手段を利用して行われる。
【００１５】
好ましくは、制御装置は、色補正のために前記検出信号と比較される基準データを記憶する記憶装置を有する。
【００１６】
好ましくは、カラーセンサは、ディスプレイ装置の画面の一部の色情報を検出するよう所定の光学系と結合される。
【００１７】
好ましくは、ディスプレイ装置は、ネットワーク回線による通信が可能とされ、検出信号による色補正の際に、必要とされる他の情報をネットワーク回線を介して取得するよう構成される。
【００１８】
好ましくは、ネットワーク回線による通信の際に、所定の情報がディスプレイ装置又はリモート操作装置に表示され、表示された情報により、ユーザは必要とされる操作へと誘導される。
【００１９】
好ましくは、色補正のために用いられる追加のリモート操作装置が用意され、色補正のためのカラーセンサは、リモート操作装置に代えて追加のリモート操作装置に設けられる。
【００２０】
好ましくは、カラーセンサで検出された検出信号は、追加のリモート操作装置から前記ディスプレイ装置へと送出されて制御装置における色補正のための信号処理に用いられる。
【００２１】
好ましくは、追加のリモート操作装置は、単独で或いは制御装置と協働して、ネットワーク回線による通信が可能とされ、検出信号による色補正の際に、必要とされる他の情報をネットワーク回線を介して取得するよう構成される。  
【００２２】
好ましくは、ネットワーク回線による通信の際に、所定の情報がディスプレイ装置又は追加のリモート操作装置に表示され、表示された情報により、ユーザは必要とされる操作へと誘導される。
【００２３】
好ましくは、追加のリモート操作装置は、携帯端末とされる。
【発明の効果】
【００２４】
本発明のシステムによれば、一般ユーザが容易に且つ実用上十分な精度で表示色の色補正を行うことができる。特にそのディスプレイ装置に対して、固有の技術的特長を踏まえた調整が可能であり、且つ比較的新しい情報を基に最適の色補正方法を提供できる点が利点となる。また、このシステムは、従来のシステムにわずかな技術的要素を追加するのみで実現できるので、実現が容易であり、また経済的な面でも利点となる。
【発明を実施するための最良の形態】
【００２５】
以下に添付図面を参照して、本発明の最適な実施形態について詳細に説明する。図１は、本発明によるディスプレイシステムの構成の概略を示す図である。システム１００は、ディスプレイ装置１０、ディスプレイ制御装置（以下単に制御装置ともいう）２０、及びリモート操作装置３０を備える。図１には、更に、制御装置２０の一部の構成を参照番号６０として更に詳細に示す。
【００２６】
ディスプレイ装置１０は、比較的大きな寸法のカラーの表示画面１１を有する。表示画面１１の外枠の一部には、リモート操作装置からの信号を受信できる受信機１２が設けられている。
【００２７】
制御装置２０は、ディスプレイ装置１０に、ビデオ等の映像信号を送ると共に、映像情報のチャネルの変更、或いは画面の色合い・輝度等の画質を調節するための信号を送ることができる。制御装置２０によれば、ディスプレイ装置１０のＲＧＢ（即ち、赤、緑、青）の各色を個別に制御可能である。
【００２８】
リモート操作装置３０は、ユーザが必要な情報を入力できる入力部３１、ディスプレイ装置へ情報を伝送するための送信機３２、及び送信機３２を制御する制御用ＩＣ３３を備える。
【００２９】
ユーザは、必要な場合に入力部３１から必要な情報を入力し、この情報は送信機３２からディスプレイ装置１０の受信機１２へと伝送される。ディスプレイ装置１０に伝送された情報は、シリアル又はパラレルの電気信号或いは光信号による有線の通信手段４０を介して制御装置２０に伝送される。制御装置２０に単一又は複数のＩＣとして設けられる制御ＩＣ２２は、受信した信号をもとに必要な情報処理を行い、ユーザの要求に従って、メデイアのチャネル切換等必要な変更処理を行う。必要な制御情報は、通信手段４０を介してディスプレイ装置１０に送られる。
【００３０】
リモート操作装置３０は、更に、ＲＧＢカラーセンサ３４、カラーセンサの制御用のＩＣ３５、及び機能切換ボタン３６を備える。ユーザは、色補正が必要であると判断した場合には、機能切換ボタン３６を押す等の操作によってシステムを通常表示モードからテストモードへと変更する。このとき、モード変更の要求の信号は制御用ＩＣ３３を介して送信機３２から通常の操作信号の場合と同様にディスプレイ装置１０へと送信され、更に通信手段４０を介して制御装置２０に送られる。制御装置２０は、モードの切換を認識して、ディスプレイ装置１０をテストモードの表示へと変更する。
【００３１】
テストモードに変更されたときには、ディスプレイ装置１０の表示画面１１には、適当なナビゲーションを行う画面が表示される。例えば、カラーセンサ３４で検査されるべき画面上の範囲が表示され、更にリモート操作装置３０のディスプレイ装置からの適切な距離等の注意・確認事項がメッセージとして表示され得る。
【００３２】
ユーザは、ディスプレイ装置１０等による表示、或いは音声によるガイダンスに従って検査を進める。ユーザは、リモート操作装置３０をディスプレイ装置１０に近づけるなど行い、実施の計測を行う。例えば、表示画面１１上の所定の位置には、ＲＧＢの各色或いはそれらの中間色等が順次表示され、ユーザはこれを順に計測する。更に、色表示及びその計測は、画面上の異なる領域を対象として複数回行われ得る。最終的に表示画面１１の全面が検査されても良い。
【００３３】
カラーセンサ３４で検出された検出信号は、制御用ＩＣ３５、及び制御用ＩＣ３３により変換され、通常モードにおける操作信号と同様に、送信機３２、受信機１２、及び通信手段４０を経て制御装置２０に送られる。複数回の計測が行われるとき、それぞれの計測結果が順に取り込まれる。制御装置２０における制御用ＩＣ２２は、受信した検出信号の処理を行う。特に表示画面１１上の異なる部分で検査を行った場合には、それらの検出値の総合的な評価から必要な調整方法を選択することが望まれる。
【００３４】
制御装置２０には、製品の出荷時或いはその後に提供された色補正に関する情報を記憶した記憶装置２３が設けられる。信号処理の際には、記憶装置２３から必要な情報が取り出される。例えば、記憶装置２３には、基準となる色情報が記録されており、検出信号と記憶装置２３との差異が比較されることにより、必要な量の色補正が行われる。絶対値を読むのではなく、デフォルト値等との差異から色補正に必要な値を計算するよう構成されるので、安価なＲＧＢセンサを使用することができる。
【００３５】
制御用ＩＣ２２からの出力信号は、表示色制御ＩＣ２４に提供される。表示色制御ＩＣ２４は、必要な情報を、ディスプレイ装置１０に提供し、ＲＧＢ各色に対して適当な調節を行う。テストモードでは、一通りの調整が終了した後、再度確認のための色補正を行えるように設定され得る。例えば、最初の色補正が完了した後に、画面上に、再度の計測の必要の有無について、確認のメッセージが表示され得る。
【００３６】
また、色補正が完了したときに、そのデータが、記憶装置２３に追加して書き込まれても良い。これにより、後日の色補正の際に、過去の色補正データも参照することが可能となる。
【００３７】
他の実施形態となるシステムが図２に示される。この実施形態は、ウェブサービスを利用するものである。
【００３８】
システム２００は、ディスプレイ装置１１０、制御装置１２０、及びリモート操作装置１３０を備える。本実施形態では、色補正のために追加のリモート操作装置１５０が用意される。追加のリモート操作装置１５０は、携帯電話とされる。本実施形態によれば、携帯電話１５０には、ＲＧＢカラーセンサ１５２が搭載される。更に、携帯電話１５０には、赤外線或いは無線ＬＡＮ等を利用したディスプレイ装置１１０との通信装置１５１が設けられる。
【００３９】
ユーザが色補正を希望する場合には、ユーザは、まずリモート操作装置１３０或いは追加のリモート操作装置１５０等を操作し、モード切替の信号を通信装置１３１、１５１からディスプレイ装置１１０及びそれを介して制御装置１２０へ送り、システム２００全体をテストモードに変更する。前述の第１の実施形態と同様に、このときディスプレイ装置には、ユーザに色補正の測定を行わせるように誘導するために必要な情報が表示され、或いは必要な色表示がされる。
【００４０】
ユーザは、表示されたガイダンスに従って計測を行う。例えば、ユーザはカラーセンサ１５２の搭載された携帯電話１５０を色補正に必要な位置に移動する。リモート操作装置１５０の操作によりモード変更した場合であっても、計測の際には携帯電話１５０もテストモードに設定される。図示しないが、カラーセンサ１５２には、結合された適当な光学系を利用して或いはその向きを変更可能とすることにより、表示画面１１１上の所定の位置の色表示を検出できるように構成される。
【００４１】
テストモードでは、携帯電話１５０は、回線手段１７０を介してインターネット回線における所定のウェブサイト１８０にアクセスした状態とされる。ウェブサイト１８０には、第１の実施形態で、記憶装置に記憶されていた情報に相当する情報が用意される。例えば、ウェブサイト１８０は、ディスプレイ装置１１０を含む本システムを構成する装置の製造メーカによって提供され得る。
【００４２】
ユーザの操作によって携帯電話１５０のカラーセンサ１５２で検出された信号は、回線手段１７０により所定のウェブサイト１８０に送信される。ウェブサイト１８０では、受信した信号に基づいて、基準信号との比較等の信号処理を行い、必要な色補正方法が用意される。
【００４３】
決定された色補正方法に係る信号は、回線手段１７０を介して携帯電話１５０に戻される。この信号は、携帯電話１５０の通信装置１５１を介して、ディスプレイ装置１１０の通信装置１１２に送られ、更にディスプレイ装置１１０を介して制御装置１２０に送られる。制御装置１２０では、受信した信号の情報を基にＲＧＢの各表示色に対して適当な色補正のための調節を行う。更にその後、第１の実施形態同様に色補正内容の確認のための再計測も行われ得る。
【００４４】
一連のシステムの動作の中で、ウェブサイト１８０から提供される情報は、携帯電話１５０の表示画面１５３に表示され得るが、更に通信装置１５１、１１２を介してディスプレイ装置１１０に送られ、表示画面１１１上に表示されても良い。ウェブサイトから必要な情報を取得する方法によれば、製造メーカが自社の製品であるディスプレイ装置のために用意した最新の最適な情報を色補正に用いることができる点で利点となる。
【００４５】
本発明の他の実施形態として、携帯電話を第１の実施形態におけるリモート操作装置と同様に扱うこともできる。この場合は、携帯電話は、必ずしも所定のウェブサイトへアクセスする必要はない。
【００４６】
更に他の実施形態として、第１の実施形態において、記憶装置２３によって情報を取得するのではなく、インターネット回線を通じて同種の情報を取得するシステムとしても良い。ウェブサイトへの接続は、ディスプレイ制御装置２０から直接行われるようにし、ディスプレイ装置１０の画面１１の一部（例えば図１に破線Ａで示す位置）にウェブサイトからの情報を表示させることができる。 
【００４７】
以上のように、本発明の好適実施形態を説明したが、これはあくまでも例示的なものであり、当業者によって、更に様々な変形・変更が可能である。例えば、記憶装置に代えて必要な情報を取得するときの情報源は、インターネット以外の種々のネットワークとされ得る。
【図面の簡単な説明】
【００４８】
【図１】本発明の第１の好適実施形態となるシステムを説明する概略図である。
【図２】本発明の第１の好適実施形態となるシステムを説明する概略図である。
【符号の説明】
【００４９】
１０、１１０      ディスプレイ装置
２０、１２０      制御装置
３０、１３０      リモート操作装置
４０              通信手段
１５０            携帯電話（携帯端末）
１８０            ウェブサイト
１００、２００    ディスプレイシステム
【図１】
2005236469.tif 000003
【図２】
2005236469.tif 000004